(57)【要約】【課題】少量の物質（クリーム、薬液又は化粧品）を密封した環境内に貯蔵し、内容物を簡単且つ衛生的に施すことのできる小さな容器及び塗布用具を含む密封された液体を有する塗布用具を提供すること。【解決手段】小さな容器と、塗布用具を含み、少量の物質を密封した環境の中に貯蔵し、その内容物を簡単且つ衛生的に施すことが出来る。前記物質は、前記容器の中に設置したカプセル状物体の中に密封されている。前記塗布用具には、第一密封末端及び第二開放末端を有する小さな容器が含まれ、前記カプセル状物体は、前記第一密封末端に近いところに設置されている。前記塗布用具が前記容器の中に差し込まれると、前記カプセル状物体を突き破り、その内容物が放出されて前記塗布用具の使用先端へ送られることが出来る。【選択図】図１
2007524423.tif 000002
【特許請求の範囲】
【請求項１】
細長い殻体と、一種又は多種の物質と、中空管体と、使用先端と、を含み、
前記細長い殻体は、第一密封末端と、第二開放末端を有し、
前記一種又は多種の物質は、一個或いは複数個のカプセル状物体の中に包まれ、前記カプセル状物体は、前記細長い殻体の中に設置され、且つ前記第一密封末端に近いところに設置され、
前記中空管体は、第一末端と、第二末端及び尖鋭端部を有し、前記尖鋭端部は前記第一末端において提供される前記カプセル状物体を突き破ることが可能であり、
前記使用先端は、前記中空管体の第一開放末端に固定され、前記中空管体の第二末端が前記細長い殻体の中に差し込まれると、前記カプセル状物体を突き破り、前記カプセル状物体の内容物が放出され、且つ前記中空管体を経由して前記使用先端へ送られるようにしたことを特徴とする、
密封された液体を有する塗布用具。
【請求項２】
前記カプセル状の物体は、アルミ箔或いはプラスチックで構成されることを特徴とする、請求項１に記載の密封された液体を有する塗布用具。
【請求項３】
前記物質は、クリーム、薬液、薬物又は化粧品であってよいことを特徴とする、請求項１又は２に記載の密封された液体を有する塗布用具。
【請求項４】
細長い殻体と、突出物と、一種又は多種の物質と、中空管体と、使用先端と、を含み、
前記細長い殻体は、第一密封末端と、第二開放末端を有し、
前記突出物は、尖鋭端部を有し、且つ前記第一密封末端に近いところに設置され、
前記一種又は多種の物質は、一個或いは複数個のカプセル状物体の中に包まれ、前記カプセル状物体は、前記細長い殻体の中に設置され、且つ尖鋭端部を有する前記突出物の近くに設置され、
前記中空の管体は、第一末端及び第二末端を有し、
前記使用先端は、前記中空の管体の第一末端に固定され、前記中空管体の第二末端が前記細長い殻体の中に差し込まれると、前記カプセル状物体を前記尖鋭端部へ移動させると共に前記カプセル状物体を突き破り、前記カプセル状物体の内容物が放出され、且つ前記中空管体を経由して前記使用先端へ送られるようにしたことを特徴とする、
密封された液体を有する塗布用具。
【請求項５】
前記カプセル状物体は、アルミ箔或いはプラスチックで構成されることを特徴とする、請求項４に記載の密封された液体を有する塗布用具。
【請求項６】
前記物質は、クリーム、薬液、薬物又は化粧品であってよいことを特徴とする、請求項４又は５に記載の密封された液体を有する塗布用具。
【請求項７】
細長い殻体と、一種又は多種の物質と、中空管体と、使用先端と、を含み、
前記細長い殻体は、第一密封末端と、第二開放末端を有し、
前記一種又は多種の物質は、一個或いは複数個のカプセル状物体の中に包まれ、前記カプセル状物体は、前記細長い殻体の中に設置され、且つ前記第一密封末端に近いところに設置され、
前記中空管体は、第一末端と、第二末端を有し、
前記使用先端は、前記中空管体の第一末端に固定され、前記中空管体の第二末端が前記細長い殻体の中に差し込まれると、前記カプセル状物体を突き破り、前記カプセル状物体の内容物が放出され、且つ前記中空管体を経由して前記使用先端へ送られるようにしたことを特徴とする、
密封された液体を有する塗布用具。
【請求項８】
前記カプセル状の物体は、アルミ箔或いはプラスチックで構成されることを特徴とする、請求項７に記載の密封された液体を有する塗布用具。
【請求項９】
前記物質は、クリーム、薬液、薬物又は化粧品であることを特徴とする、請求項７又は８に記載の密封された液体を有する塗布用具。
【発明の詳細な説明】
【技術分野】
【０００１】
本発明は、スワッブ式塗布用具に関し、特に密封された液体を有するスワッブ式塗布用具に関するものである。
【背景技術】
【０００２】
細長い管体の形式を持つ小さい容器は、少量の製品（例えば、クリーム、薬液又は化粧品）の使用及び/或いは塗布用として使うことが出来る。
一般的には、前記小さい容器の内容物、特にその内容物が高度の粘度を持っている場合、それを取り出すことはかなり困難であり、残りの前記内容物は捨てられるか、或いはある種の形式の塗布用具、又は抽出器（extractor）を用いて前記内容物を取り出さなければならない。
【０００３】
一般に塗布用具は、前記容器の内容物を取り出し、且つ塗布すべきところに正確に塗布するために使われる。
通常、前記塗布用具は分離された部分であり、そして前記塗布用具は前記容器の中に差し込んで前記内容物を取り出し、更に前記内容物を塗布すべきところに塗布することが出来るようになっている。
【０００４】
幾つかの例について言えば、塗布用具は前記容器のキャップの一部分として形成され、キャップをあけると、前記塗布用具を露出させ、且つ前記容器の内容物を取り出して塗布することが出来るようになっている。
別の例について言えば、塗布用具と容器は完全に分離され、塗布用具は容器の一部分ではない。
【０００５】
又、ある種の物質は、湿った空気との接触を避けるため、完全に密封されなければならない（塗布されるまでは）。
従って、前記容器の内容物は一回分の塗布量でなければならず、且つ塗布用具を繰り返し使用することができない。
普通の容器や塗布用具は大きすぎる（一回分の塗布量には不適用）か、コストが高すぎる（使い捨て用としては不適合である）。
【発明の開示】
【発明が解決しようとする課題】
【０００６】
本発明の目的は、少量の物質（クリーム、薬液又は化粧品）を密封した環境内に貯蔵し、内容物を簡単且つ衛生的に施す(dispense)ことのできる小さな容器及び塗布用具を含む密封された液体を有する塗布用具を提供することにある。
【課題を解決するための手段】
【０００７】
塗布用具に第一密封末端と第二開放末端を備えた小さな容器を設置し、塗布物質をカプセル状物体の中に密封して前記小さな容器の中に入れ、前記小さな容器を前記第一密封末端のところに設置する。前記塗布用具が前記容器の中に差し込まれると、前記カプセル状の物体が突き破られて、その内容物が放出され、使用先端へ送られる。次いで、前記塗布用具は前記容器の内容物を塗布すべきところに塗布するために使われる。
【発明の効果】
【０００８】
本発明によれば、少量の物質（クリーム、薬液又は化粧品）を密封した環境内に貯蔵し、内容物を簡単且つ衛生的に塗布すべき面に施すことが出来る。
【発明を実施するための最良の形態】
【０００９】
図１は、本発明に係る密封された液体を有する塗布用具の好ましい実施例である。
前記密封された液体を有する塗布用具は、細長い殻体１と、物質４（例えば、クリーム、薬液、薬物、化粧品及びその他の液体）と、中空管体８と、使用先端６と、をむ。
【００１０】
前記細長い殻体１には第一密封末端２及び第二開放末端３を備える。
前記物質４は、カプセル状物体５に包まれると共に前記細長い殻体１の中に設置され、且つ第一密封末端２に近いところに設置されている。
【００１１】
前記中空管体８は、第一開放末端７と、第二開放末端９及び尖鋭端部１０を有する。
前記カプセル状物体５は、アルミ箔又はプラスチックで構成されるのが好ましい。
前記カプセル状物体５は、一種類又は多種類の物質を入れるために、一個以上の仕切りスペースを含んでもよい。
【００１２】
別の実施例では、二個又は二個以上のカプセル状物体５が前記細長い殻体１の中に設置され、カプセル状物体５にはそれぞれ異なる物質が入れられ、異なる混合物を生じるようになっている。
【００１３】
前記使用先端６は、前記中空の管体８の第一開放末端７に固定されている。
前記使用先端６は、脱脂綿スワッブ、気泡ゴムなどで構成された使用先端、又はブラシ、或いは任意の適当なスワッブであってよい。
【００１４】
前記中空管体８の第二開放末端９には、前記カプセル状物体５を突き破ることの出来る尖鋭端部１０が備わっている。前記尖鋭端部１０は、注射器の針のようなものであってよい。前記尖鋭端部１０は、液体を前記先端から前記中空管体８の中空内部へ流動させる一つ又は複数の流動通路を持つ先端であってもよい。
【００１５】
前記中空管体８の第二末端９が前記細長い殻体１の中に差し込まれると、前記カプセル状物体５を突き破り、前記カプセル状物体５の内容物を放出し、且つ前記中空管体８を経由して前記使用先端６へ送る。
【００１６】
図２は、本発明に係る密封された液体を有する塗布用具のもう一つ別の好ましい実施例である。
この実施例において、前記密封された液体を有する塗布用具は、細長い殻体１と、物質４（例えば、クリーム、薬液、薬物、化粧品及びその他の液体）と、中空管体８と、使用先端６と、を含む。
【００１７】
前記細長い殻体１には第一密封末端２と、第二開放末端３を有する。
前記物質４は、カプセル状物体５の中に包まれる。
前記カプセル状物体５は、前記細長い殻体１の中に設置されると共に前記第一密封末端２に近いところに設置されている。
【００１８】
前記カプセル状物体５は、任意の適当な材料によって構成される。
前記カプセル状物体５は、アルミ箔又はプラスチックで構成されるのが好ましい。
前記カプセル状物体５は、一種類又は多種類の物質を入れるために、一個以上の仕切りスペースを含んでもよい。
【００１９】
別の実施例では、二個又は二個以上のカプセル状物体５が前記細長い殻体１の中に設置され、カプセル状物体５にはそれぞれ異なる物質が入れられ、異なる混合物を生じるようになっている。
【００２０】
尖鋭端部１０を有する突出物１１が前記第一密封末端２に近いところに設置され、前記尖鋭端部１０は前記カプセル状物体５に面している。
前記中空管体８は、第一開放末端７と、第二開放末端１２を有する。
【００２１】
前記使用先端６は中空管体８の第一開放末端７に固定されている。
前記中空管体８の第二開放末端１２が前記細長い殻体１の中に差し込まれると、前記カプセル状物体５を前記尖鋭端部１０の方向に移動させると共に前記カプセル状物体５を突き破り、前記カプセル状物体５の内容物を放出して前記中空管体８を経由して前記使用先端６へ送ることが出来る。
【００２２】
もし、前記カプセル状物体５が充分突き破り易い薄い材料で構成されている
場合、前記中空管体８の第二開放末端９に設置された前記尖鋭端部１０を必要とせず、又前記尖鋭端部１０を有する前記突出物１１も設置する必要がない。
その理由は、前記中空管体８が前記細長い殻体１の中に差し込まれ、且つ前記カプセル状物体５を前記細長い殻体１の前記第一密封末端２へ移動させると、前記カプセル状物体５に加えられた圧力で前記カプセル状物体５を突き破ることが出来るからである。
【００２３】
以上は、本発明の実施例及び応用の説明であるが、これらの記載は本発明の範囲を制限するものではなく、又、当業者なら、本発明についてその他の等価の実施及び修飾を行うことが出来るが、これらの等価の実施及び修飾は、すべて本発明の請求範囲に含まれるものである。
【図面の簡単な説明】
【００２４】
【図１】本発明に係る密封された液体を有する塗布用具の好ましい実施例の断面図である。
【図２】本発明に係る密封された液体を有する塗布用具のもう一つの好ましい実施例の断面図である。
【符号の説明】
【００２５】
１・・・・・・細長い殻体
２・・・・・・第一密封末端
３・・・・・・第二開放末端
４・・・・・・物質
５・・・・・・カプセル状物体
６・・・・・・使用先端
７・・・・・・第一開放末端
８・・・・・・中空管体
９・・・・・・第二開放末端
１０・・・・・尖鋭端部
１１・・・・・突出物
１２・・・・・第二開放末端
【図１】
2007524423.tif 000003
【図２】
2007524423.tif 000004
【国際調査報告】
2007524423.tif 000005